(57)【要約】【課題】エッジ尖鋭度の低下を起こすことなく、ブリードを抑制し得るインクジェットインクセットを提供する。【解決手段】本発明のインクジェットインクセットは、顔料及び或る等電点を有する両性分散剤を含む、第１のｐＨの顔料系インク調合物と、第２のｐＨの第２のインク調合物とを含んで成り、前記第１のｐＨ及び第２のｐＨの各々は、酸性ｐＨ及び塩基性ｐＨから選択され、前記第１のｐＨと第２のｐＨとは等しくはなく、且つ前記両性分散剤は、酸性の際には前記第１のｐＨよりも高い等電点を有し、塩基性の際には前記第１のｐＨよりも低い等電点を有する。【選択図】なし【特許請求の範囲】
【請求項１】
顔料及び或る等電点を有する両性分散剤を含有する、第１のｐＨの顔料系インク調合物と、
第２のｐＨの第２インク調合物と、
を含んで成るインクジェットインクセットであって、前記第１のｐＨ及び前記第２のｐＨの各々が酸性ｐＨ及び塩基性ｐＨから選択され、前記第１のｐＨと前記第２のｐＨとが等しくはなく、且つ前記両性分散剤が、前記両性分散剤が酸性である際は前記第１のｐＨより高い等電点を有し、前記分散剤が塩基性である際は前記第１のｐＨより低い等電点を有する、インクジェットインクセット。
【請求項２】
前記両性分散剤が、プロトン化可能基とイオン化可能酸性基とを含む化合物から選択される、請求項１に記載のインクジェットインクセット。
【請求項３】
前記両性分散剤が、前記顔料系インク調合物の約０．０１〜８ｗｔ％の量にある、請求項１に記載のインクジェットインクセット。
【請求項４】
さらに、水、有機溶媒、及びそれらの組合せから選択されるビヒクルを含む、請求項１に記載のインクジェットインクセット。
【請求項５】
前記第１のｐＨが、約３〜６．５の酸性ｐＨである、請求項４に記載のインクジェットインクセット。
【請求項６】
前記第１のｐＨが、約７．５〜１０の塩基性ｐＨである、請求項４に記載のインクジェットインクセット。
【請求項７】
前記顔料が、前記顔料系インク調合物の約０．５〜５ｗｔ％の量にある、請求項１に記載のインクジェットインクセット。
【請求項８】
前記顔料が、自己分散型ブラック顔料である、請求項１に記載のインクジェットインクセット。
【請求項９】
前記第２のインク調合物が、顔料系インク、染料系インク、及びそれらの組合せから選択される、請求項１に記載のインクジェットインクセット。
【請求項１０】
前記第１のｐＨが約３〜６．５の酸性ｐＨであり、且つ前記第２のｐＨが７．５〜１０の塩基性ｐＨである、請求項１に記載のインクジェットインクセット。
【請求項１１】
前記第２のｐＨが約３〜６．５の酸性ｐＨであり、且つ前記第１のｐＨが７．５〜１０の塩基性ｐＨである、請求項１に記載のインクジェットインクセット。
【請求項１２】
第１のｐＨを有する顔料系インクと、
両性分散剤と、
を含んで成る顔料系インク調合物であって、前記両性分散剤が帯電しており、前記両性分散剤がプロトン化可能基とイオン化可能酸性基とを含有する化合物から選択され、前記両性分散剤が或る等電点を有し、前記両性分散剤が、前記分散剤が酸性である際は前記第１のｐＨより高い等電点を有し、前記分散剤が塩基性である際は前記第１のｐＨより低い等電点を有する、顔料系インク調合物。
【請求項１３】
前記顔料系インクが、酸化カーボンブラック、表面修飾カーボンブラック、及び酸化カーボンブラックと表面修飾カーボンブラックとの組合せから選択される自己分散型ブラック顔料を含む、請求項１２に記載の顔料系インク調合物。
【請求項１４】
前記ブラック顔料が、前記顔料系インク調合物の約０．５〜５ｗｔ％の量にある、請求項１２に記載の顔料系インク調合物。
【請求項１５】
前記第１のｐＨが、約３〜６．５の酸性ｐＨである、請求項１２に記載の顔料系インク調合物。
【請求項１６】
前記第１のｐＨが、約７．５〜１０の塩基性ｐＨである、請求項１２に記載の顔料系インク調合物。
【請求項１７】
前記両性分散剤が、前記顔料系インク調合物の約０．０１〜８ｗｔ％の量にある、請求項１２に記載の顔料系インク調合物。
【請求項１８】
第１のｐＨを有する第１の顔料系インク調合物及び第２のｐＨを有する第２のインク調合物を含む分配システムを設けるステップであって、前記第１の顔料系インク調合物が、第１の顔料系インクと両性分散剤とを含み、前記両性分散剤が或る等電点を有し、前記第１のｐＨ及び前記第２のｐＨの各々が、約３〜６．５の酸性ｐＨ及び約７．５〜１０の塩基性ｐＨから選択され、前記両性分散剤が、前記分散剤が酸性である際は前記第１のｐＨより高い等電点を有し、前記分散剤が塩基性である際は前記第１のｐＨより低い等電点を有する、ステップと、
前記第１の顔料系インク調合物及び前記第２のインク調合物を分配するステップと、
を含んで成る印刷方法であって、前記第１の顔料系インク調合物と前記第２のインク調合物とが互いに隣接して分配される際に、前記第１の顔料系インク調合物と前記第２のインク調合物との間のインクのブリードが実質的に阻止される、印刷方法。
【請求項１９】
顔料及び或る等電点を有する両性分散剤を含有する、第１のｐＨの顔料系インク調合物と、
第２のｐＨの第２のインク調合物と、
を含む分配システムを具備し、前記第１のｐＨ及び前記第２のｐＨの各々が、酸性ｐＨ及び塩基性ｐＨから選択され、前記第１のｐＨと前記第２のｐＨは等しくはなく、且つ前記両性分散剤が、前記分散剤が酸性である際は前記第１のｐＨより高い等電点を有し、前記分散剤が塩基性である際は前記第１のｐＨより低い等電点を有する、プリンタシステム。
【請求項２０】
印刷品質を向上させる方法であって、
第１のｐＨを有する第１の顔料系インク調合物と第２のｐＨを有する第２のインク調合物とを設けるステップであって、前記第１の顔料系インク調合物が、第１の顔料系インクと両性分散剤とを含み、前記第１のｐＨ及び前記第２のｐＨの各々が、酸性ｐＨ及び塩基性ｐＨから選択され、前記第１のｐＨと前記第２のｐＨとは等しくはなく、且つ前記両性分散剤の等電点が、前記第１のｐＨと前記第２のｐＨの間にある、ステップと、
前記第１の顔料系インク調合物と前記第２のインク調合物とを互いに隣接して配置させることによって、前記第１の顔料系インク調合物と前記第２のインク調合物との間のブリードを低減させるステップと、
を包含する、方法。
【発明の詳細な説明】
【技術分野】
【０００１】
本発明は、インクジェットインクセット、顔料系インク調合物、印刷方法、及び印刷品質を高める方法に関する。
【発明の背景】
【０００２】
オフィス及び家庭におけるインクジェット印刷システムの利用は、近年、劇的に進展した。その進展は、インクジェットプリンタのコストの徹底的な削減と、印刷分解能及び総合的な印刷品質の実質的な改善によるものと考えてよい。大幅に改善されてきた印刷品質ではあるが、インクジェット画像の耐久性をさらに改善するための研究開発努力が続けられている。何故なら、インクジェット印刷画像の耐久性は、他の印刷技術及び写真技術によって達成されるレベルにはまだ達していないからである。インクジェット印刷においては、妥当なコストを維持しつつ、高い品質、高い永続性、及び高い耐久性を呈する画像を生成したいという要望がいまもなお存在する。
【０００３】
インクジェット印刷においては、インクジェット画像は、印刷ヘッドとして知られている液滴発生装置から精密なドットパターンが射出される際に印刷媒体上に形成される。典型的なインクジェット印刷ヘッドにおいては、精密に形成されたノズルがノズルプレート上に配置されており、そしてインクジェット印刷ヘッドアレイに取り付けられている。ノズルの直径は、典型的に、３０〜４０マイクロメートルである。インクジェット印刷ヘッドアレイには、射出チャンバアレイ（１つ又は複数のインク容器との流体連通によって、液体ビヒクルに溶解又は分散している顔料及び／又は染料を含んで成る液体インクを受容する）が備え付けられている。各チャンバでは、射出抵抗体として知られる薄膜抵抗体がノズルに対向して配置されており、そのため、射出抵抗体とノズルとの間にインクを溜めることができる。特定の射出抵抗体が励起されると、ノズルを通って印刷媒体の方にインクが噴出されて画像が生成される。印刷ヘッドは、印刷カートリッジ又はインクジェットペンと呼ばれる外側パッケージによって保持され且つ保護されている。
【０００４】
異なる色のインクを、ボンド紙、コピー用紙、及びその他の媒体上に互いに隣接させて印刷すると、ブリードが生じる場合がある。ブリードは、或るカラーが、印刷中の用紙表面や用紙内部にて混じり合う際に生ずる。用語「ブリード」は、次のように定義される。２つの異なる色のインクを互いに隣接して印刷する場合、その２つの色の間の境界はきれいであり、一方の色が他方の色へ侵入しないことが望ましい。一方の色が他方の色の中へ侵入すると、２つの色の間の境界がぎざぎざになり、これがブリードと呼ばれる。これは、紙の繊維に起因して単一色のインクに関して起こる「滲み」を表すのに多くの場合用いられる、用語「ブリード」の用法とは別である。
【発明の開示】
【発明が解決しようとする課題】
【０００５】
ブリードを抑制するための従来の解法は、主として、加熱プラテン又はその他の熱源及び／又は特殊用紙の利用に関連していた。加熱プラテンに関しては、プリンタのコストが嵩む。特殊用紙に関しては、単一種類の用紙に限定され、そしてそれは、普通紙よりコストが比較的高い。ブリードを軽減させるための他の方法としては、用紙中へのインクの浸透速度を高めることが挙げられる。しかしながら、浸透速度を高めることは、エッジ尖鋭度の低下につながる（印刷物の印刷品質を低下に帰着する）。それ故、代替のブリード抑制機構が望まれている。
【課題を解決するための手段】
【０００６】
簡単に述べると、本開示の実施形態には、インクジェットインクセット、顔料系インク調合物、プリンタシステム、印刷方法、及び印刷品質向上の方法が包含される。中でも、１つの例示的なインクジェットインクセットは、顔料と或る等電点を有する両性分散剤とを含有する第１のｐＨの顔料系インク調合物と、第２のｐＨの第２のインク調合物とを含んで成り、この場合、第１のｐＨ及び第２のｐＨの各々は、酸性ｐＨ及び塩基性ｐＨから選択され、第１のｐＨと第２のｐＨとは等しくはなく、且つ両性分散剤は、その分散剤が酸性である際は第１のｐＨより高い等電点を有し、その分散剤が塩基性である際は第１のｐＨより低い等電点を有する。
【０００７】
１つの例示的な顔料系インク調合物としては、第１のｐＨを有する顔料系インクと両性分散剤とを含有する顔料系インク調合物が挙げられ、この場合、両性分散剤は帯電しており且つプロトン化可能基（プロトン化し得る基）とイオン化可能酸性基（イオン化し得る酸性基）とを含む化合物から選択され、且つ両性分散剤は等電点を有し、その分散剤が酸性である際は第１のｐＨより高い等電点を有し、その分散剤が塩基性である際は第１のｐＨより低い等電点を有する。
【０００８】
１つの例示的な印刷方法は、第１のｐＨを有する第１の顔料系インク調合物と第２のｐＨを有する第２のインク調合物とを含む分配システムを設けるステップであって、第１の顔料系インク調合物が第１の顔料と両性分散剤を含み、両性分散剤が等電点を有し、第１のｐＨ及び第２のｐＨの各々が、約３〜６．５の酸性ｐＨ及び約７．５〜１０の塩基性ｐＨから選択され、且つ両性分散剤が、その分散剤が酸性である際は第１のｐＨより高い等電点を有し、その分散剤が塩基性である際は第１のｐＨより低い等電点を有する、ステップと、第１の顔料系インク調合物と第２のインク調合物とを分配するステップとを包含し、この場合、第１の顔料系インク調合物と第２のインク調合物とが互いに隣接して分配される際に、第１の顔料系インク調合物と第２のインク調合物との間のインクブリードが実質的に阻止される。
【０００９】
１つの例示的な印刷品質を向上させる方法は、第１のｐＨを有する第１の顔料系インク調合物と第２のｐＨを有する第２のインク調合物とを設けるステップであって、第１の顔料系インク調合物が第１の顔料と両性分散剤を含み、第１のｐＨ及び第２のｐＨの各々が、酸性ｐＨ及び塩基性ｐＨから選択され、第１のｐＨと第２のｐＨとが等しくはなく、且つ両性分散剤の等電点が第１のｐＨと第２のｐＨの間にある、ステップと、第１の顔料系インク調合物と第２のインク調合物を互いに隣接させて配置させることによって第１の顔料系インク調合物と第２のインク調合物との間のブリードを低減させるステップとを包含する。
【発明の効果】
【００１０】
本発明によれば、エッジ尖鋭度の低下を起こすことなく、ブリードを抑制し得る、比較的安価なインク調合物を含むインクジェットインクセットを提供することができる。詳細には、本発明によれば、顔料系インク調合物と他のインクとの間のブリードが抑制（例えば、顔料系インク調合物と他のインクとの間のブリードを阻止）された状態で、顔料系インク調合物と他のインク調合物とを互いに隣接させて分配することが可能となる。
【発明を実施するための最良の形態】
【００１１】
本発明の多くの実施形態は、以下の図面を参照することによって、さらによく理解することができる。図面中の要素は、必ずしも正確な縮尺関係にはない。
【００１２】
顔料系インク調合物、インクジェットインクセット、印刷方法、並びにプリンタシステムを開示する。
【００１３】
概して、顔料系インク調合物には、限定はしないが、両性分散剤によって顔料が分散されている顔料系インクが含まれる。顔料系インク調合物は、他のインク調合物とは逆のｐＨを有する（例えば、顔料系インク調合物及び他のインク調合物のうち一方は酸性（分散剤上の実効正電荷）であり、他方は塩基性（負電荷）である）。それ故、２つの調合物を互いに隣接して配置すると、その境界で両性分散剤が他のインク調合物の方へ引き付けられ（反対電荷が引き付ける）、そしてその過程において、両性分散剤が、反応するか、又はその等電点へと近づく。等電点に近づくと（例えば、等電点の前後約１ｐＨ単位）、両性分散剤によって分散された顔料が不安定となり、溶液から分離する（即ち、「クラッシュアウト（沈殿）する」）。顔料が沈殿すると、インクは、顔料が分散していたときほど流動性ではなくなり、従って、ブリードが阻止される。従って、このブリード阻止メカニズムは、一緒になると溶液から沈殿を形成する、２つの逆に帯電した着色剤の相互作用に起因するものであり、従って、強固なブリード阻止を実現することができる。
【００１４】
加えて、両性分散剤を有する顔料系インク調合物を使用する際には、両性分散剤を使用しない調合物と比較して、高い光学濃度を達成することができる。その結果、両性分散剤分散型顔料系インク調合物は、「在来の」分散剤顔料インク調合物よりも少量の顔料を含めばよい。
【００１５】
図１は、当該顔料系インク調合物を用い得るプリンタシステム１０のブロック図を示している。プリンタシステム１０は、コンピュータ制御システム１２、インク分配システム１４、及び印刷媒体１８を具備する。コンピュータ制御システム１２は、インク分配システム１４を制御する機能を有するプロセス制御システムを具備する。詳細には、コンピュータ制御システム１２は、顔料系インク調合物及びその他のインク調合物を用いて、文字、記号、写真等を印刷媒体１８上に印刷するようインク分配システム１４に指令し且つ制御する。
【００１６】
インク分配システム１４には、限定はしないが、１つ又は複数のインク（例えば、顔料系インク調合物）を印刷媒体上に分配する、在来のインクジェット技術が包含される。ドロップオンデマンド技術及び連続フローインクジェット技術のようなインクジェット技術を用いて、インクを分配することができる。インク分配システム１４は、印刷ヘッドの複数のノズルの１つ又は複数を介してインクを分配（例えば、噴射）するように機能する少なくとも１つの在来型インクジェット印刷ヘッドシステム（例えば、サーマルインクジェット印刷ヘッド及び／又はピエゾインクジェット印刷ヘッド）を具備することができる。印刷ヘッドシステムは、１つ又は複数のインク容器との流体連通により、液体ビヒクルに溶解もしくは分散しているインクを受容する射出チャンバアレイを備えている。
【００１７】
用語「印刷媒体群」及び「印刷媒体」には、限定はしないが、紙基材、写真ベース基材、プラスチック媒体基材（例えば、透明乃至不透明のプラスチックフィルム）等が包含され得る。印刷媒体としては、限定はしないが、ポリマー、紙、ガラス、セラミック、織布、又は不織布材料から作られた硬質若しくは可撓性の材料を挙げることができる。
【００１８】
上述のように、本発明の顔料系インク調合物には、限定はしないが、両性分散剤分散型顔料を含有する顔料系インクが含まれる。別の実施形態では、本発明の顔料系インク調合物は、両性分散剤分散型顔料に適合するビヒクルを含む。その他の顔料系インク調合物では、当該調合物は、限定はしないが、溶媒、塩、緩衝剤、殺生物剤、界面活性剤、及びそれらの組合せを含有し得る。
【００１９】
当該顔料系インク調合物は、１つ又は複数のインク調合物を有するインクジェットインクセットにおいて用いることができる。例えば、当該インクセットは、顔料系インク調合物と第２のインク調合物とから構成することができる。他の実施形態では、当該インクセットは、顔料系インク調合物と複数のインク調合物とから構成し得る。簡便さ故、本開示においては、第２のインク調合物を用いるインクセットを参照して議論するが、本発明の顔料系インク調合物が１つ又は複数のインク調合物（例えば、１つ又は複数のカラーの顔料系インク及び／又は染料系インク）と組み合わせて用い得ること並びに同様のブリード阻止能や光学濃度結果を達成し得ることは、当業者には理解されよう。
【００２０】
顔料系インク調合物は、両性分散剤がカチオン形態又はアニオン形態の何れかに維持されるような第１のｐＨを有する。第２のインクは、その（第２のインクの）着色剤を（顔料系インク調合物中の着色剤とは）逆の荷電状態とするような第２のｐＨに維持される。第１のｐＨは、約３〜６．５及び約４〜６のｐＨで酸性であるか、又は約７．５〜１０及び約７．５〜９のｐＨでアルカリ性である。さらに、当該両性分散剤は、その分散剤が酸性である際は第１のｐＨより高い等電点を有し、その分散剤がアルカリ性である際は第１のｐＨより低い等電点を有する。用語「等電点」とは、両性分散剤の正味の電荷が中性となる際のｐＨ値と定義される。
【００２１】
顔料系インク調合物の顔料には、限定はしないが、ブラック顔料及びカラー顔料が包含され得る。カラー顔料としては、限定はしないが、ブルー、ブラウン、シアン、グリーン、ホワイト、バイオレット、マゼンタ、レッド、オレンジ、イエロー、並びにそれらの組合せを挙げることができる。カラー顔料の代表的な例は、以下の第２のインク調合物に関して後述する。
【００２２】
ブラックの自己分散性顔料インク並びに官能基の結合法は、米国特許第５，７０７，４３２号、第５，６３０，８６８号、第５，５７１，３１１号、第５，５５４，７３９号、及び第６，７２３，７８３号に記載されている。例えば、ブラック顔料としては、限定はしないが、キャボット（Ｃａｂｏｔ）社から入手可能な、Ｍｏｎａｒｃｈ（登録商標）１４００、Ｍｏｎａｒｃｈ（登録商標）１３００、Ｍｏｎａｒｃｈ（登録商標）１１００、Ｍｏｎａｒｃｈ（登録商標）１０００、Ｍｏｎａｒｃｈ（登録商標）９００、Ｍｏｎａｒｃｈ（登録商標）８８０、Ｍｏｎａｒｃｈ（登録商標）８００、及びＭｏｎａｒｃｈ（登録商標）７００を挙げることができる。顔料系インクは、顔料系インク調合物の約０．５〜５ｗｔ％（例えば、約１．５〜４．０ｗｔ％あるいは約２．０〜３．５ｗｔ％）の量にて顔料を含有し得る。
【００２３】
一般に、両性分散剤としては、限定はしないが、プロトン化可能基とイオン化可能酸性基とを含む化合物が挙げられる。当該基の適切な選択並びに基の比は、分散剤の所望の特性を達成するべく選択し得る。等電点は、分散剤の１つの特性であり、分散剤上のプロトン化可能基とイオン化可能酸性基との比によって決まる。アミノ酸は、特に分散剤として用い得る化合物の典型的な１つの種類であり、一例は、ポリエチレンイミンと無水コハク酸との反応（物）であろう。加えて、プロトン化可能基（単数又は複数）を含有する化合物とイオン化可能酸性基（単数又は複数）を含有する化合物とを適切な比率で別々に用いることによっても顔料を分散させることができる。
【００２４】
両性分散剤は、顔料系インク調合物の約０．０１〜８ｗｔ％（例えば、約１〜５ｗｔ％あるいは約２〜４ｗｔ％）の量にて存在する。
【００２５】
一実施形態では、顔料系インク調合物はビヒクルを含む。当該ビヒクルには、両性分散剤に適合性のあるものを用いることができる。当該ビヒクルに関しては、良好なインク噴射特性をもたらしつつ、顔料系インク調合物の構成成分を可溶化又は分散させ、それによって所望の機能並びに特性を満足させるのに必要となる少なくとも最小量が用いられる。当該ビヒクルは、限定はしないが、水、有機溶媒、及びそれらの組合せを含むことができる。
【００２６】
例えば、当該有機溶媒としては、限定するものではないが、炭素数３０以下の第１脂肪族アルコール、炭素数３０以下の第１芳香族アルコール、炭素数３０以下の第２脂肪族アルコール、炭素数３０以下の第２芳香族アルコール、炭素数３０以下の１，２−ジオール、炭素数３０以下の１，３−ジオール、炭素数３０以下の１，５−ジオール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、ラクタム、置換ホルムアミド、未置換ホルムアミド、置換アセトアミド、及び未置換アセトアミドを挙げることができる。
【００２７】
詳細には、当該溶媒として、限定はしないが、エトキシル化グリセロール、２−メチル−１，３−プロパンジオール、２−メチル−２，４−ペンタンジオール、１，５−ペンタンジオール、２−ピロリドン、１−（２−ヒドロキシエチル）−２−ピロリジノン、２−エチル−２−ヒドロキシメチル−１，３−プロパンジオール、ジエチレングリコール、３−メトキシブタノール、及び１，３−ジメチル−２−イミダゾリジノンを挙げることができる。当該溶媒にはまた、限定はしないが、１，２−ヘキサンジオール、１，２−オクタンジオール、２，５−ジメチル−３−ヘキシン−２，５−ジオール、トリメチロールプロパン、３−ヘキシン−２，５−ジオール、スルホラン、３−ピリジルカルビノール、及びその他のピリジン誘導体も含まれ得る。当該溶媒を添加することで、インクジェットインク中の水の蒸発速度を低下させて詰まりを最小限としたり、粘度、ｐＨ、表面張力、光学濃度、及び印刷品質のようなインクのその他の諸性質を変更することができる。
【００２８】
望ましくない微生物の成長を阻害するために種々の殺生物剤を用いることができる。当該殺生物剤としては、限定はしないが、安息香酸塩、ソルビン酸塩、ＮＵＯＳＥＰＴ（ヌデックス社（Ｎｕｄｅｘ，Ｉｎｃ．）、ヒュルスアメリカ（Ｈｕｌｓ  Ａｍｅｒｉｃａ）社の１部門）、ＵＣＡＲＣＩＤＥ（ユニオンカーバイド（Ｕｎｉｏｎ  Ｃａｒｂｉｄｅ）社）、ＶＡＮＣＩＤＥ（ＲＴ  ヴァンダービルト社（Ｖａｎｄｅｒｂｉｌｔ  Ｃｏ．））、及びＰＲＯＸＥＬ（アイシーアイ アメリカ（ＩＣＩ  Ａｍｅｒｉｃａｓ）社）のような市販品、及びその他の殺生物剤を挙げることができる。
【００２９】
ノニオン性界面活性剤には、限定はしないが、アルキルフェノールエトキシラート、ポリオキシエチレナート、直鎖アルコールエトキシラート、ポリオキシエチレン化ポリオキシプロピレングリコール、ポリオキシエチレン化メルカプタン、長鎖カルボン酸エステル、天然及び脂肪酸のグリセリル及びポリグリセリルエステル、プロピレングリコール、ソルビトール及びポリオキシエチレン化ソルビトールエステル、ポリオキシエチレングリコールエステル及びポリオキシエチレン化脂肪酸、アルカノールアミン縮合物、アルカノールアミド、第三級アセチレングリコール、ポリオキシエチレン化シリコーン、Ｎ−アルキルピロリドン及びアルキルポリグリコシドが含まれ得る。
【００３０】
界面活性剤、殺生物剤、緩衝剤、及びその他の添加物のような、ビヒクルの全てのイオン性成分は、それらが、所定のｐＨ範囲において着色剤のそれと類似の電荷を保持するように選択される。さもないと、望ましくない相互作用に起因して、不安定なインクが生じ得る。
【００３１】
第２のインク調合物には、限定はしないが、染料系インク及び顔料系インクを含むことができる。染料系インク及び顔料系インクは、カチオン性又はアニオン性とし得る。一般に、インクジェット印刷に用いられる染料系インク及び顔料系インクは、本発明の実施に採用し得る。カラーインクは、多数の水溶性の酸性染料及び直接染料を含むことができる。限定はしないが、この目的に適する幾つかの例示的な着色剤を説明目的で以下に記載する。第２のインク調合物の色としては、限定はしないが、ブルー、ブラック、ブラウン、シアン、グリーン、ホワイト、バイオレット、マゼンタ、レッド、オレンジ、イエロー、並びにそれらの組合せを挙げることができる。
【００３２】
当該顔料には、限定はしないが、Ｐａｌｉｏｇｅｎ（登録商標）Ｏｒａｎｇｅ、Ｈｅｌｉｏｇｅｎ（登録商標）Ｂｌｕｅ  Ｌ  ６９０１Ｆ、Ｈｅｌｉｏｇｅｎ（登録商標）Ｂｌｕｅ  ＮＢＤ  ７０１０、Ｈｅｌｉｏｇｅｎ（登録商標）Ｂｌｕｅ  Ｋ  ７０９０、Ｈｅｌｉｏｇｅｎ（登録商標）Ｂｌｕｅ  Ｌ  ７１０１Ｆ、Ｐａｌｉｏｇｅｎ（登録商標）Ｂｌｕｅ  Ｌ  ６４７０、Ｈｅｌｉｏｇｅｎ（登録商標）Ｇｒｅｅｎ  Ｋ  ８６８３、及びＨｅｌｉｏｇｅｎ（登録商標）Ｇｒｅｅｎ  Ｌ  ９１４０のようなバスフ（ＢＡＳＦ）社からの顔料；Ｃｈｒｏｍｏｐｈｔａｌ（登録商標）Ｙｅｌｌｏｗ  ３Ｇ、Ｃｈｒｏｍｏｐｈｔａｌ（登録商標）Ｙｅｌｌｏｗ  ＧＲ、Ｃｈｒｏｍｏｐｈｔａｌ（登録商標）Ｙｅｌｌｏｗ  ８Ｇ、Ｉｒｇｒａｚｉｎ（登録商標）Ｙｅｌｌｏｗ  ５ＧＴ、Ｉｒｇｒａｌｉｔｅ（登録商標）Ｒｕｂｉｎｅ  ４ＢＬ、Ｍｏｎａｓｔｒａｌ（登録商標）Ｍａｇｅｎｔａ、Ｍｏｎａｓｔｒａｌ（登録商標）Ｓｃａｒｌｅｔ、Ｍｏｎａｓｔｒａｌ（登録商標）Ｖｉｏｌｅｔ  Ｒ、Ｍｏｎａｓｔｒａｌ（登録商標）Ｒｅｄ  Ｂ、及びＭｏｎａｓｔｒａｌ（登録商標）Ｖｉｏｌｅｔ  Ｍａｒｏｏｎ  Ｂのようなチバガイギー（Ｃｉｂａ−Ｇｅｉｇｙ）社からの顔料；Ｐｒｉｎｔｅｘ  Ｕ、Ｐｒｉｎｔｅｘ  Ｖ、Ｐｒｉｎｔｅｘ  １４０Ｕ、及びＰｒｉｎｔｅｘ  １４０Ｖのようなデグッサ（Ｄｅｇｕｓｓａ）社からの顔料；Ｔｉｐｕｒｅ（登録商標）Ｒ−１０１のようなデュポン（ＤｕＰｏｎｔ）社からの顔料；Ｄａｌａｍａｒ（登録商標）Ｙｅｌｌｏｗ  ＹＴ−８５８−Ｄ及びＨｅｕｃｏｐｈｔｈａｌ（登録商標）Ｂｌｕｅ  Ｇ  ＸＢＴ−５８３Ｄのようなホイバッハ（Ｈｅｕｂａｃｈ）社からの顔料；Ｐｅｒｍａｎｅｎｔ  Ｙｅｌｌｏｗ  ＧＲ、Ｐｅｒｍａｎｅｎｔ  Ｙｅｌｌｏｗ  Ｇ、Ｐｅｒｍａｎｅｎｔ  Ｙｅｌｌｏｗ  ＤＨＧ、Ｐｅｒｍａｎｅｎｔ  Ｙｅｌｌｏｗ  ＮＣＧ−７１、Ｐｅｒｍａｎｅｎｔ  Ｙｅｌｌｏｗ  ＧＧ、Ｈａｎｓａ  Ｙｅｌｌｏｗ  ＲＡ、Ｈａｎｓａ  Ｂｒｉｌｌｉａｎｔ  Ｙｅｌｌｏｗ  ５ＧＸ−０２、Ｈａｎｓａ  Ｙｅｌｌｏｗ−Ｘ、Ｎｏｖｏｐｅｒｍ（登録商標）Ｙｅｌｌｏｗ  ＨＲ、Ｎｏｖｏｐｅｒｍ（登録商標）Ｙｅｌｌｏｗ  ＦＧＬ、Ｈａｎｓａ  Ｂｒｉｌｌｉａｎｔ  Ｙｅｌｌｏｗ  １０ＧＸ、Ｐｅｒｍａｎｅｎｔ  Ｙｅｌｌｏｗ  Ｇ３Ｒ−０１、Ｈｏｓｔａｐｅｒｍ．ＲＴＭ、Ｙｅｌｌｏｗ  Ｈ４Ｇ、Ｈｏｓｔａｐｅｒｍ（登録商標）Ｙｅｌｌｏｗ  Ｈ３Ｇ、Ｈｏｓｔａｐｅｒｍ（登録商標）Ｏｒａｎｇｅ  ＧＲ、Ｈｏｓｔａｐｅｒｍ（登録商標）Ｓｃａｒｌｅｔ  ＧＯ、及びＰｅｒｍａｎｅｎｔ  Ｒｕｂｉｎｅ  Ｆ６Ｂのようなヘキスト（Ｈｏｅｃｈｓｔ）社からの顔料；Ｑｕｉｎｄｏ（登録商標）Ｍａｇｅｎｔａ、Ｉｎｄｏｆａｓｔ（登録商標）Ｂｒｉｌｌｉａｎｔ  Ｓｃａｒｌｅｔ、Ｑｕｉｎｄｏ（登録商標）Ｒｅｄ  Ｒ６７００、Ｑｕｉｎｄｏ（登録商標）Ｒｅｄ  Ｒ６７１３、及びＩｎｄｏｆａｓｔ（登録商標）Ｖｉｏｌｅｔのようなモバイ（Ｍｏｂａｙ）社からの顔料；Ｌ７４−１３５７  Ｙｅｌｌｏｗ、Ｌ７５−１３３１  Ｙｅｌｌｏｗ、及びＬ７５−２５７７  Ｙｅｌｌｏｗのようなサンケミカル社（Ｓｕｎ  Ｃｈｅｍ．）社からの顔料が包含され得る。
【００３３】
水性カラー染料には、限定はしないが、スルホン酸塩及びカルボン酸塩（特に、インクジェット印刷に通常採用されるもの）が包含され得る。具体例としては、Ｓｕｌｆｏｒｈｏｄａｍｉｎｅ  Ｂ（スルホン酸塩）、Ａｃｉｄ  Ｂｌｕｅ  １１３（スルホン酸塩）、Ａｃｉｄ  Ｂｌｕｅ  ２９（スルホン酸塩）、Ａｃｉｄ  Ｒｅｄ  ４（スルホン酸塩）、Ｒｏｓｅ  Ｂｅｎｇａｌ（カルボン酸塩）、Ａｃｉｄ  Ｙｅｌｌｏｗ  １７（スルホン酸塩）、Ａｃｉｄ  Ｙｅｌｌｏｗ  ２９（スルホン酸塩）、Ａｃｉｄ  Ｙｅｌｌｏｗ  ４２（スルホン酸塩）、Ａｃｒｉｄｉｎｅ  Ｙｅｌｌｏｗ  Ｇ（スルホン酸塩）、Ｎｉｔｒｏ  Ｂｌｕｅ  Ｔｅｔｒａｚｏｌｉｕｍ  Ｃｈｌｏｒｉｄｅ  Ｍｏｎｏｈｙｄｒａｔｅ又はＮｉｔｒｏ  ＢＴ、ローダミン  ６Ｇ、ローダミン  １２３、ローダミン  Ｂ、ローダミン  Ｂ  イソシアナート、サフラニン  Ｏ、Ａｚｕｒｅ  Ｂ、Ａｚｕｒｅ  Ｂ  エオシナート、Ｂａｓｉｃ  Ｂｌｕｅ  ４７、Ｂａｓｉｃ  Ｂｌｕｅ  ６６、Ｔｈｉｏｆｌａｃｉｎ  Ｔ（Ｂａｓｉｃ  Ｙｅｌｌｏｗ  １）、及びＡｕｒａｍｉｎｅ  ０（Ｂａｓｉｃ  Ｙｅｌｌｏｗ  ２）  があり、これらは全てアルドリッチケミカル社（Ａｌｄｒｉｃｈ  Ｃｈｅｍｉｃａｌ  Ｃｏｍｐａｎｙ）から入手可能である。
【００３４】
溶媒としては、限定はしないが、水溶性有機溶媒を挙げることができる。当該水溶性有機溶媒としては、限定はしないが、脂肪族アルコール、芳香族アルコール、ジオール、グリコールエーテル、ポリ（グリコール）エーテル、ラクタム、ホルムアミド、アセトアミド、長鎖アルコール、エチレングリコール、プロピレングリコール、ジエチレングリコール、トリエチレングリコール、グリセリン、ジプロピレングリコール、グリコールブチルエーテル、ポリエチレングリコール、ポリプロピレングリコール、アミド、エーテル、カルボン酸、エステル、有機スルフィド、有機スルホキシド、スルホン、アルコール誘導体、カルビトール、ブチルカルビトール、セロソルブ、エーテル誘導体、アミノアルコール、及びケトンを挙げることができる。
【００３５】
例えば、当該溶媒には、限定はしないが、炭素数３０以下の第１脂肪族アルコール、炭素数３０以下の第１芳香族アルコール、炭素数３０以下の第２脂肪族アルコール、炭素数３０以下の第２芳香族アルコール、炭素数３０以下の１，２−ジオール、炭素数３０以下の１，３−ジオール、炭素数３０以下の１，５−ジオール、エチレングリコールアルキルエーテル、プロピレングリコールアルキルエーテル、ポリ（エチレングリコール）アルキルエーテル、ポリ（エチレングリコール）アルキルエーテルの高次の同族体、ポリ（プロピレングリコール）アルキルエーテル、ポリ（プロピレングリコール）アルキルエーテルの高次の同族体、ラクタム、置換ホルムアミド、未置換ホルムアミド、置換アセトアミド、及び未置換アセトアミドが包含できる。
【００３６】
詳細には、当該溶媒としては、限定はしないが、エトキシル化グリセロール、２−メチル−１，３−プロパンジオール、２−メチル−２，４−ペンタンジオール、１，５−ペンタンジオール、２−ピロリドン、１−（２−ヒドロキシルエチル）−２−ピロリジノン、２−エチル−２−ヒドロキシメチル−１，３−プロパンジオール、ジエチレングリコール、３−メトキシブタノール、及び１，３−ジメチル−２−イミダゾリジノンを挙げることができる。当該溶媒としてはまた、限定はしないが、１，２−ヘキサンジオール、１，２−オクタンジオール、２，５−ジメチル−３−ヘキシン−２，５−ジオール、トリメチロールプロパン、３−ヘキシン−２，５−ジオール、スルホラン、３−ピリジルカルビノール、及びその他のピリジン誘導体も挙げることができる。当該溶媒を添加することで、インクジェットインク中の水の蒸発速度を低下させて詰まりを最小限としたり、粘度、ｐＨ、表面張力、光学濃度、及び印刷品質のようなインクのその他の諸性質を変更することができる。
【００３７】
望ましくない微生物の成長を阻害するために種々の殺生物剤を用いることができる。当該殺生物剤としては、限定はしないが、安息香酸塩、ソルビン酸塩、ＮＵＯＳＥＰＴ（ヌデックス社）、ヒュルスアメリカの１部門）、ＵＣＡＲＣＩＤＥ（ユニオンカーバイド社）、ＶＡＮＣＩＤＥ（ＲＴヴァンダービルト社）、及びＰＲＯＸＥＬ（アイシーアイ アメリカ社）のような市販品、及びその他の殺生物剤を挙げることができる。
【００３８】
ノニオン性界面活性剤としては、限定はしないが、アルキルフェノールエトキシラート、ポリオキシエチレナート、直鎖アルコールエトキシラート、ポリオキシエチレン化ポリオキシプロピレングリコール、ポリオキシエチレン化メルカプタン、長鎖カルボン酸エステル、天然及び脂肪酸のグリセリル及びポリグリセリルエステル、プロピレングリコール、ソルビトール及びポリオキシエチレン化ソルビトールエステル、ポリオキシエチレングリコールエステル及びポリオキシエチレン化脂肪酸、アルカノールアミン縮合物、アルカノールアミド、第三級アセチレングリコール、ポリオキシエチレン化シリコーン、Ｎ−アルキルピロリドン及びアルキルポリグリコシドを挙げることができる。
【００３９】
界面活性剤、殺生物剤、緩衝剤、及びその他の添加物のような、ビヒクルのイオン性成分は、それらが所定のｐＨ範囲において着色剤のそれと類似の電荷を保持するように選択されることに留意されたい。さもないと、望ましくない相互作用に起因して、不安定なインクが生ずる場合がある。
【００４０】
本明細書では、比、濃度、量、及びその他の数値データを範囲形式で提示する場合があることに留意されたい。そのような範囲形式は、便利且つ簡潔なために用いるものであって、範囲の限界値として明記された数値を含むだけでなく、各数値及び副範囲があたかも明記されているかのようにその範囲内に包含される個別の数値又は副範囲を全て包含するものと柔軟に解釈すべきことを理解されたい。例を示せば、「約０．１％〜約５％」という濃度範囲は、約０．１ｗｔ％、約５ｗｔ％という明記された濃度を含むだけではなくて、その表示範囲内の個別濃度（例えば、１ｗｔ％、２ｗｔ％、３ｗｔ％、及び４ｗｔ％）、並びに副範囲（例えば、０．５％、１．１％、２．２％、３．３％、及び４．４％）を含むものと解釈すべきである。
【００４１】
実施例
以下は、本発明の実施形態の非限定的な例である。これらの実施例は、本開示の実施形態の範囲をそれら特定のものに限定しようとする意はない。当業者であれば、記載の調合物を修正、変更することができ、これらの修正、変更が、本開示の実施形態の範囲内にあることは分かろう。
【実施例１】
【００４２】
米国特許第６，７２３，７８３号（参照することで本明細書にその内容を取り入れることとする）に従って、Ｍｏｎａｒｃｈ  ７００（キャボット社）を、ＡＰＳＥＳとの反応、その次のＰＥＩ  １８００との反応、その次のフェニル無水コハク酸との反応により修飾した。約４％のエトキシル化グリセロール（Ｌｉｐｏｎｉｃｓ）、約８％のヒドロキシメチルプロパンジオール，約１０％の２−ピロリドン，約１％のプロピレングリコールｎ−ブチルエーテル、約０．１％のノニオン性界面活性剤、及び残部の水を含んで成るビヒクルに、３．５％の濃度にて顔料を添加した。当該インクのｐＨを約４に維持し、こうして、カチオン性インクを得た。
【００４３】
カラーインク（顔料系又は染料系のどちらでもよい）に関しては、そのｐＨを、約８．５近辺のアルカリ性に維持した。これにより、着色剤は、もし染料の場合にはアニオン性であった。着色剤が顔料の場合には、それをアニオン性として分散させた。優れたブラック−カラー間のブリード特性を得た。ここで、ブラック顔料が、両性ではなく単にカチオン性である場合（即ち、Ｍｏｎａｒｃｈ  ７００を、ＡＰＳＥＳ、続くＰＥＩで修飾しただけの場合）には、同一のビヒクル中にそれを添加し且つ同一のカラーに対して印刷した際、ブラック−カラー間のブリード特性は、この実施例に記載の両性の顔料を用いる場合ほど優れてはいなかった。選択した「用紙セット」上における普通紙ブラック光学濃度の平均は、約１．４より高かった。同一用紙上におけるＤＪ５５５０（市販インク）の光学濃度は、約１．２であった。
【実施例２】
【００４４】
米国特許第６，７２３，７８３号に従って、Ｍｏｎａｒｃｈ  ７００（Ｃａｂｏｔ）を、ＡＰＳＥＳと反応させ、次いでＰＥＩ  ６００とアルギニンとの混合物と反応させることにより修飾した。当該ブラックインクを実施例１と同一のビヒクルに入れ、そしてｐＨを約４に調節してカチオン性に維持した。実施例１の場合と同じカラーに対して印刷した際、同様に優れたブラック−カラー間のブリード性能を得た。実施例１と同じ普通紙セット上における光学濃度の平均は、約１．４より高かった。
【００４５】
上述の実施形態に対し多くの変更並びに修正を施すことができる。そのような修正及び変更は、全て、本発明の範囲に包含され且つ添付の特許請求の範囲によって保護されるものとする。
【図面の簡単な説明】
【００４６】
【図１】プリンタシステムの一実施形態
【符号の説明】
【００４７】
１０  プリンタシステム
１２  コンピュータ制御システム
１４  インク分配システム
１８  印刷媒体
【図１】
2006124705.tif 000002